(57)【要約】【課題】プール施設の利用者の快適性を確保できると共に、腐食の発生等の問題を生じさせる事なく、このプール施設の屋外側壁面を長期間に亙り清潔に保つ事のできる構造を実現する。【解決手段】方立２の屋内空間９側の側面に、凹溝状の排水路１３ａ、１３ａを、鉛直方向に設ける。又、これら各排水路１３ａ、１３ａの長さ方向の一部を、無目５の端部に対向させる。又、この無目５の上面を、屋外側から屋内側に向かうに従って下方に傾斜した傾斜面部１６と、この傾斜面部１６の屋内側端部から上方に向け立ち上がった堰部１７とから構成する。この様な構成により、上記無目５の上面に流下した結露水を、この無目５の上面を通じて上記各排水路１３ａ、１３ａへと導き、上記方立２の下方に流れ落とす。これにより、結露水を、屋外空間１０に排出する事なく、屋内空間９側のみで適切に排水処理できる為、上記課題を解決できる。【選択図】図４
2010001629.tif 000002
【特許請求の範囲】
【請求項１】
それぞれが上下方向に配置された複数本の方立と、それぞれが水平方向に配置されてそれぞれの両端部を隣り合う方立の側面に突き合わせ結合した複数本の無目と、上下方向に隣り合う無目と水平方向に隣り合う方立とにより四辺を囲まれる部分に建て込まれた窓部材とを備え、貯水槽が設けられた屋内空間と屋外空間とを隔てる、貯水施設用カーテンウォールであって、上記各方立の屋内空間側の側面に、凹溝状の排水路が、その長さ方向の一部を上記各無目の端部に対向させた状態で上下方向に設けられており、屋内側壁面に付着した結露水等の水を、屋外空間に排出する事なく、上記各無目の上面を通じて上記各排水路に導く事により、上記各方立の下方へと導く事を特徴とする貯水施設用カーテンウォール。
【請求項２】
無目の屋内空間側の上面に、屋外側から屋内側に向かうに従って下方に傾斜した傾斜面部と、この傾斜面部の屋内側端部から上方に向け立ち上がった堰部とがそれぞれ設けられている、請求項１に記載した貯水施設用カーテンウォール。
【請求項３】
無目の端部に、排水路に進入可能な形状を有し、その先端縁をこの排水路の底面に対して近接若しくは少なくとも一部を当接させた、誘導ガイドが設けられている、請求項１〜２のうちの何れか１項に記載した貯水施設用カーテンウォール。
【請求項４】
排水路の底面の断面形状が鋸歯状である、請求項１〜３のうちの何れか１項に記載した貯水施設用カーテンウォール。
【請求項５】
無目の端部に、その基端部を密に内嵌した状態で塞ぎ材が設けられており、この塞ぎ材の先端部が、排水路を跨ぐ状態で、方立の側面のうち少なくともこの排水路の幅方向両側部分に密接している、請求項１〜４のうちの何れか１項に記載した貯水施設用カーテンウォール。
【発明の詳細な説明】
【技術分野】
【０００１】
本発明の貯水施設用カーテンウォールは、例えば、屋内プール施設や入浴施設（温泉施設、温浴施設、所謂スパ施設を含む）等の貯水施設の外壁を構成する為に利用する。
【背景技術】
【０００２】
近年、天候や気温に左右されずに快適に水泳等を行う為に、屋内プール施設が広く利用されている。又、この様な屋内プール施設の外壁には、意匠性に優れ、採光性を確保するのに有利である等の理由から、カーテンウォール構造の外壁が採用されつつある。
【０００３】
屋内プール施設の外壁として用いられるカーテンウォール１は、例えば、本発明の実施の形態の１例を示す、図１〜２に示す様に構成される。このカーテンウォール１は、それぞれが鉛直方向（図１、２の上下方向）に配置された、複数本の方立２、２を有する。又、隣り合う方立２、２同士の間には、上端部に上枠３、３を、下端部に下枠４、４を、中間部に無目５、５を、それぞれ複数本ずつ掛け渡している。これら上枠３、３、下枠４、４、無目５、５は、それぞれが水平方向（図１の左右方向、図２の表裏方向）に配置されており、それぞれの両端部を隣り合う方立２、２の側面に突き合わせ結合している。そして、これら各方立２、２と、上記上枠３、下枠４、各無目５、５とにより四辺を囲まれる部分に、窓部材であるガラスパネル６、６及び引き違い窓７をそれぞれ建て込んでいる。又、図示の例では、上記各方立２、２、及び、上記上枠３、３、下枠４、４、無目５、５を、それぞれアルミニウム合金の押し出し型材製としている。そして、この様な構成を有するカーテンウォール１により、貯水槽であるプール８が設置された屋内空間９と、屋外空間１０とを隔てている。
【０００４】
ところで、屋内プール施設の屋内空間９には、プール８に張られた水（或は温水）が存在する為、この屋内空間９側の湿度は、通常８０〜９０％以上と非常に高くなる。この為、冬期等、屋内空間９の温度に比べて屋外空間１０の温度が低く、且つ、その温度差が大きい場合に、カーテンウォール１を構成する上記各部材２、３、４、５、６、７のうち、屋内空間９側に存在する部分の表面（以下「屋内側壁面」と言う。本明細書及び特許請求の範囲全体で同じ。反対に、屋外空間１０側に存在する部分の表面を、以下「屋外側壁面」と言う。）に、結露が多量に発生し易くなる。又、この屋内側壁面には、結露による結露水以外にも、上記プール８内の水が飛散する等して、水滴が付着する場合もある。
【０００５】
この様な事情に鑑みて、従来から、屋内プール施設用のカーテンウォールに就いても、ビルディング等に使用されている、一般的なカーテンウォールと同様に、屋内側壁面に付着した結露水等の水（以下、本明細書では一部を除いて、単に「結露水」と呼ぶ。）を、屋外空間に排出する為の構造が採用されている。例えば特許文献１に記載された従来構造では、図１４に示す様に、無目５の屋内空間９側の上面に流入口１１を、同じく屋外空間１０側の下面に排出口１２を、それぞれ形成している。そして、これら流入口１１と排出口１２とを連通する状態で、上記無目５の内部に排水路１３を形成し、この排水路１３を通じて結露水を屋外空間１０に排出する事が行われている。又、図示は省略するが、結露水を、方立の内部を通じて下方に導きつつ、この方立或は無目の屋外側面から、屋外空間に排出する事も行われている。
【０００６】
ところが、上述の様に、結露水を屋外空間に排出する事に起因して、次の様な不都合を招いていた。即ち、プールに貯水された水には、衛生管理の目的から塩素系消毒剤（所謂カルキ）等の薬剤が加えられており、結露水にも薬剤が溶け込んでいる可能性がある。この為、この様な結露水を、上記図１４に示した様に、屋外空間１０に排出した場合には、その後、水分が蒸発する事で薬剤が析出し、ガラスパネル６、６等に白濁の染み汚れを生じさせてしまう。この結果、屋内プール施設の外観を著しく害してしまう。そして、外観を清潔に保つ為には、清掃回数を大幅に増やす等の対策が必要になり、管理コストの上昇を招く。更に、薬剤が溶け込んだ結露水を、無目や方立の内部を通過させる為、これら無目や方立の内部に腐食が発生し易くなると言った不都合も生じる。又、寒冷地に於いては、屋外空間に排出された結露水が凍結する恐れもある。
【０００７】
そこで、この様な不都合を解消すべく、本発明者等は、屋外側壁面に比べて屋内側壁面には、屋内空間の湿度が高く、乾燥しにくい事に基づいて、薬剤による染み汚れが発生しにくい点に着目した。そして、本発明者等は、屋内側壁面に付着した結露水を、屋外空間に排出する事なく、屋内空間側のみで、排水処理する事ができないかと考えるに至った。但し、単に、従来構造の屋内プール施設用のカーテンウォールで、結露水を屋外空間に排出する為の構造を採用しないだけでは、上記図１４に破線で示した様に、結露水は、無目の屋内側面を通じて床面へと垂れ落ち、その水滴の量も多くなる。この為、屋内側壁面の体裁を悪化させて、屋内プール施設の利用者の快適性を害する恐れがある。これに対して、結露水を、無目や方立の内部を通じて下方に導いた後、屋内空間に排出する構成を採用すれば、無目の屋内側面を通じて垂れ落ちる水滴の量を低減する事ができるが、この場合には、屋外空間に排出する場合と同様に、上記無目や方立の内部に腐食が発生し易くなる。そして、この様な腐食の発生を防止する為には、これら無目や方立の内部表面に、本来は外部表面にしか施す事のない、塗装処理等の表面処理を施す必要があり、コストの上昇が避けられなくなる。
【０００８】
尚、上述した様な塩素系消毒剤等の薬剤は、屋内プールの水以外に、入浴施設の湯中にも加えられる場合がある。そして、この入浴施設に就いては、屋内プール施設以上に、結露の発生量や、飛散に伴う水滴の付着量が多くなる。この為、この様な入浴施設に就いても、従来から屋内側壁面に付着した結露水等を、屋外空間に排出する事が行われており、上述した屋内プール施設の場合と同様の問題を生じていた。
【０００９】
【特許文献１】特開２００８−１１５６６２号公報
【発明の開示】
【発明が解決しようとする課題】
【００１０】
本発明は、上述の様な事情に鑑み、貯水施設の利用者の快適性を確保できると共に、腐食の発生等の問題を生じさせる事なく、この貯水施設の屋外側壁面を長期間に亙り体裁良く保つ事のできる構造を実現すべく発明したものである。
【課題を解決するための手段】
【００１１】
本発明の貯水施設用カーテンウォールは、貯水槽が設けられた屋内空間と、屋外空間とを隔てる為に用いられ、複数本ずつの方立と、複数本ずつの無目と、窓部材とを備える。
このうちの方立は、例えばアルミニウム合金の押し出し型材製で、それぞれが上下方向に配置されている。
又、上記各無目は、例えばアルミニウム合金の押し出し型材製で、それぞれが水平方向に配置されて、それぞれの両端部を隣り合う方立の側面に突き合わせ結合している。
又、上記窓部材は、上下方向に隣り合う無目と、水平方向に隣り合う方立とにより四辺を囲まれる部分に建て込まれている。尚、上記窓部材は、固定窓と可動窓とを問わず、例えば、ガラスパネル、ガラス障子、化粧パネル等が相当する。
【００１２】
特に、本発明の貯水施設用カーテンウォールにあっては、上記各方立の屋内空間側の側面に、凹溝状の排水路を、その長さ方向の一部を上記各無目の端部に対向させた状態で、上下方向に設けている。そして、屋内側壁面に付着した結露水等の水を、屋外空間に排出する事なく、上記各無目の上面を通じて上記各排水路に導く事により、上記各方立の下方へと導く。
尚、結露水等の水には、結露水の他、貯水槽に溜められた水（或は、温水、湯）が飛散等したものを含む。
【００１３】
又、本発明を実施する場合には、例えば請求項２に記載した発明の様に、上記各無目の屋内空間側の上面に、屋外側から屋内側に向かうに従って下方に傾斜した傾斜面部と、この傾斜面部の屋内側端部から上方に向け立ち上がった堰部とを、それぞれ設ける。
【００１４】
又、本発明を実施する場合には、例えば請求項３に記載した発明の様に、上記各無目の端部に、上記各排水路に進入可能な形状を有し、その先端縁を、これら各排水路の底面に対して、近接若しくは少なくとも一部を当接させた、誘導ガイドを設ける。
尚、この様な請求項３に記載した発明を実施する場合に好ましくは、上記誘導ガイドの先端縁にＶ字形、Ｕ字形、半円形等の切り欠きを形成し、この切り欠きの両側部分を、上記各排水路の底面に対し当接させる。
【００１５】
又、本発明を実施する場合には、例えば請求項４に記載した発明の様に、上記各排水路の底面の断面形状を、鋸歯状とする。
【００１６】
更に、本発明を実施する場合には、例えば請求項５に記載した発明の様に、上記各無目の端部に、その基端部を密に内嵌した状態で、塞ぎ材を設ける。そして、この塞ぎ材の先端部を、上記各排水路を跨ぐ状態で、上記各方立の側面のうち、少なくともこれら各排水路の幅方向両側部分に密接させる。
【発明の効果】
【００１７】
上述の様に構成する本発明によれば、窓部材等の屋内側壁面に付着した結露水等の水を、無目の上面を通じて、方立の屋内空間側の側面に設けられた排水路へと導き、この排水路内を流下させる事によって、上記方立の下方へと導く事ができる。
即ち、本発明によれば、上記無目の上面に流下した結露水を、この無目の屋内側面から垂れ落とさずに、排水路へと導く為、この無目の屋内側面を通じて垂れ落ちる水滴の量を、十分に低減する事ができる。しかも、本発明の場合には、貯水施設の利用者の目に入りにくい、方立の側面を利用して、結露水等の水を下方に導く事ができる。この為、屋内側壁面の体裁を良好に確保する事ができて、貯水施設の利用者の快適性を十分に確保する事ができる。
更に、結露水等の水を、上記無目や上記方立の内部を通過させる事もない為、コストの上昇を招く塗装処理等の表面処理を内部表面に施さなくても、上記無目や方立の内部に腐食が発生する事を防止できる。
この様に、本発明によれば、結露水等の水を、屋外空間に排出する事なく、屋内空間側のみで適切に排水処理する事ができる為、貯水施設の屋外側壁面に、薬剤による染み汚れが生じる事を防止できて、この貯水施設の屋外側壁面を長期間に亙り清潔に保つ事ができる。
【００１８】
特に請求項２に係る発明にあっては、無目の上面に流下した結露水等の水が、この無目の屋内側面を通じて垂れ落ちる事を有効に防止できる。又、この結露水等の水を、この無目の上面に一定量貯溜する事ができて、この結露水等の水を、堰部の屋外側面に沿って、排水路へと誘導する事ができる。
【００１９】
又、請求項３に係る発明にあっては、結露水等の水を、排水路の底面へと導く事ができる為、この結露水等の水が、この排水路の底面に沿って（底面を伝わせて）流下し易くなる。更に、誘導ガイドの先端縁に、Ｖ字形の切り欠きを形成すれば、この切り欠きの内側を通過する結露水等の水と、上記排水路の底面との接触面積を大きく確保できる。この為、この結露水等の水に作用する表面張力を小さくする事ができて、この表面張力によって、この結露水等の水が無目の下面側へと回り込む事を防止する事もできる。
【００２０】
又、請求項４に係る発明にあっては、排水路の底面の断面形状を、鋸歯状としている為、単に平坦面状とした場合に比べて、結露水等の水とこの底面との接触面積を増やす事ができる。この為、この結露水等の水に作用する表面張力を有効に利用して（水と底面との濡れ長さを大きくできて）、この水が上記排水路の底面で水滴のままの状態で残りにくくして、この水がこの底面に沿ってスムーズに流下させ易くできる。
【００２１】
更に、請求項５に係る発明にあっては、無目の端部に塞ぎ材を、この塞ぎ材の基端部をこの無目の端部に密に内嵌した状態で設けている為、結露水等の水が、この無目の上面からこの無目の内部へと侵入する事を確実に防止できる。又、上記塞ぎ材の先端部を、排水路を跨ぐ状態で、方立の側面のうちこの排水路の幅方向両側部分に密接させている為、結露水等の水が、上記無目からこの排水路を屋内外方向に外れた状態で垂れ落ちる事を有効に防止できて、この結露水を、この排水路へと効果的に導く事ができる。
【発明を実施するための最良の形態】
【００２２】
図１〜１３により、本発明の実施の形態の１例に就いて説明する。尚、方立２、２と、上枠３、３と、下枠４、４と、無目５、５と、窓部材であるガラスパネル６、６及び引き違い窓７とにより、カーテンウォール１を構成する点、及び、これら各部材２、３、４、５、６、７の基本的な構造等に就いては、前述した通りである。この為、以下、本例の特徴部分を中心に説明する。
【００２３】
本例のカーテンウォール１の場合、前記図１４に示した様な、結露水を、屋外空間１０に排出する為の構造は採用しておらず、この結露水を、屋内空間９側のみで排水処理する。この為に、本例の場合には、図３〜７、１２、１３に示す様に、上記各方立２、２の屋内空間９側の側面に、凹溝状の排水路１３ａ、１３ａを、鉛直方向に設けている。又、これら各排水路１３ａ、１３ａは、その長さ方向の一部を、上記各無目５、５の端部に対向させている。又、本例の場合には、上記各排水路１３ａ、１３ａの底面の断面形状を、微小な凹凸を屋内外方向に連続させた、鋸歯状としている。
【００２４】
又、上記各無目５、５は、上記各ガラスパネル６、６を支持する為の無目本体１４、１４と、これら各無目本体１４、１４の上面及び屋内側面を覆う状態で、これら各無目本体１４、１４に結合された無目カバー１５、１５とを備える。上記各方立２、２に対しては、このうちの各無目本体１４、１４の端面を突き合させ、ねじ止め固定している。又、上記各無目カバー１５、１５の上面には、傾斜面部１６、１６と、堰部１７、１７とが、それぞれ設けられており、このうちの傾斜面部１６、１６は、図３、４に示した通り、屋外側から屋内側に向かうに従って下方に傾斜している。又、上記各堰部１７、１７は、上記各傾斜面部１６、１６の屋内側端部から上方に向け立ち上がる状態で設けられている。又、図３、６に示す様に、これら各傾斜面部１６、１６と堰部１７、１７との境界は、上記各排水路１３ａ、１３ａの屋内側端部に整合する部分に位置している。
【００２５】
又、上記各無目カバー１５、１５の下面には、あり溝状の係止溝１８、１８が水平方向に設けられており、これら各係止溝１８、１８内には、略へ字形の誘導ガイド１９、１９が係止されている。これら各誘導ガイド１９、１９は、熱可塑性樹脂製で、図８に詳示する様に、矩形板状の基板部２０と、この基板部２０の一辺に、この基板部２０の片面方向に向け折れ曲がる状態で設けられたガイド部２１とから構成される。このガイド部２１は、上記各排水路１３ａ、１３ａ内に進入可能な形状を有し、本例の場合には、上記基板部２０から離れるに従って先細になる略台形板状としている。又、上記ガイド部２１の先端縁には、Ｖ字形の切り欠き部２２を設けている。そして、図５、７に示した様に、上記各誘導ガイド１９、１９のうちの基板部２０、２０を、上記各係止溝１８、１８内に係合させた状態で、上記各ガイド部２１、２１を、その先端縁を下方に傾斜させた状態で、上記各排水路１３ａ、１３ａ内に進入させている。尚、上記各誘導ガイド１９、１９の材料としては、加工性に優れ、錆や腐食の生じにくい、ポリアセタール・コポリマー｛ジュラコン（登録商標）｝を好ましく使用できる。
【００２６】
本例の場合には、上述の様な構成を有する誘導ガイド１９、１９を、図９に示す様なストッパ部材２３を用いて、上記各係止溝１８、１８内の適正位置に位置決めしている。このストッパ部材２３は、略円板状の係止板部２４と、つまみ部２５とから構成され、このうちの係止板部２４は、直径方向に対向する状態で設けられた、四分の一円弧状の円弧部２６、２６と、これら両円弧部２６、２６同士を連続する状態で設けられ、これら両円弧部２６、２６よりも径方向外方に張り出した部分を有する非円弧部２７、２７とから構成されている。これら両非円弧部２７、２７と上記両円弧部２６、２６との間には、直径方向反対位置同士で互いに平行な（隣り同士でほぼ直角方向に存在する）直線部３５、３５を形成している。
【００２７】
この様なストッパ部材２３は、上記図７の左側端部に破線で示した様に、上記両円弧部２６、２６を、上記各係止溝１８、１８の幅方向（図７の上下方向）両側に位置させた状態で、これら各係止溝１８、１８内に、開口幅が広くなった不連続部２８から挿入する。そして、上記ストッパ部材２３を、この姿勢を維持したまま、上記各誘導ガイド１９、１９の基板部２０、２０の近傍まで平行移動させた後、上記つまみ部２５を利用して、上記各係止溝１８、１８内で回転させる。これにより、直径方向反対側に存在する１対の直線部３５、３５を、これら各係止溝１８、１８内で突っ張らせる事で、上記ストッパ部材２３を固定すると同時に、別の直線部３５の外周縁を、上記各誘導ガイド１９、１９の基板部２０、２０に当接させる。これにより、これら各誘導ガイド１９、１９を適正位置に位置決めする。
【００２８】
又、本例の場合、前記各方立２、２の屋内空間９側の側面と、前記各無目５、５（無目カバー１５、１５）の端部との間に、図１０、１１に示す様な、塞ぎ材２９を設けている。この塞ぎ材２９は、シリコーンスポンジやゴム等の、水分を吸収性しない材料から造られており、嵌合部３０と、１対の突き当て部３１、３１とから構成される。このうちの嵌合部３０は、上記各無目５、５（無目カバー１５、１５）の端部に密に内嵌自在な形状を有する。又、上記各突き当て部３１、３１は、前記各排水路１３ａ、１３ａの幅寸法とほぼ同じ寸法だけ離隔した状態で設けられている。この様な構成を有する塞ぎ材２９は、図６に示す様に、組付状態で、上記各突き当て部３１、３１を、上記各排水路１３ａ、１３ａを跨ぐ状態で、上記各方立２、２の側面のうち、これら各排水路１３ａ、１３ａの幅方向両側部分に密接させている。この為、本例の場合には、上記各方立２、２の側面と上記各無目５、５の端部との間のうち、上記各排水路１３ａ、１３ａと、上記各突き当て部３１、３１の内側面と、上記嵌合部３０とにより、四方を囲まれる部分に、排水空間３２、３２が形成されている。尚、これら各排水空間３２、３２の下部開口部は、上記各誘導ガイド１９、１９により塞がれている。
【００２９】
更に、本例の場合には、図１２、１３に示す様に、カーテンウォール１を構成する下枠４、４の上面に排水溝３３、３３を、水平方向に設けている。又、これら各下枠４、４の各端部のうちの上方部分と、上記各方立２、２の側面との間を、上記各排水路１３ａ、１３ａが設けられた部分を含めて、コーキング材により完全に塞いでいる。これにより、上記各排水路１３ａ、１３ａと上記各排水溝３３、３３とを、直角方向に連通させている。又、これら各排水溝３３、３３の底面のうち、上記各方立２、２の近傍部分に、流入口１１ａ、１１ａを設けている。そして、これら各流入口１１ａ、１１ａと、床面下に設けられた図示しない下水管とを、排水パイプ３４により連通させている。
【００３０】
以上の様な構成を有する本例の場合、前記各ガラスパネル６、６等の屋内側壁面に付着した結露水は、次の様にして、上記下水管へと排水される。先ず、上記各ガラスパネル６、６等から上記各無目５、５の上面へと流下した結露水は、図４に示す様に、これら各無目５、５の上面に設けられた傾斜面部１６、１６に沿って屋内側へと誘導される。そして、この様に誘導された結露水は、前記各堰部１７、１７によって堰き止められ、これら各堰部１７、１７の屋外側面と上記各傾斜面部１６、１６の上面との間に溜められていく。そして、或る程度の量の結露水が溜まると、この結露水は、上記各堰部１７、１７の屋外側面に沿って、上記各無目５、５の長さ方向（端部側）に流れ出し、前記各排水空間３２、３２内に垂れ落ちる。
【００３１】
この様にして、上記各排水空間３２、３２内に垂れ落ちた結露水は、これら各排水空間３２、３２の下部開口部を塞ぐ状態で設けられた、前記各誘導ガイド１９、１９を構成する基板部２０、２０（或はガイド部２１、２１）により受け止められる。そして、これら各基板部２０、２０から各ガイド部２１、２１を伝って、上記各排水路１３ａ、１３ａの底面に向け流れた後、これら各ガイド部２１、２１の先端縁に形成された切り欠き部２２、２２の内側を通過して、上記各排水路１３ａ、１３ａの底面へと導かれる。これにより、これら各排水路１３ａ、１３ａの底面を伝って、前記各方立２、２の下方へと流れ落ちる。
【００３２】
この様にして、上記各方立２、２の下方へと流れ落ちた結露水は、下枠４、４の上面に設けられた前記各排水溝３３、３３に流れ出す。そして、これら各排水溝３３、３３に設けられた流入口１１ａ、１１ａに流れ落ち、排水パイプ３４内を通って、下水管へと排水される。尚、上記各下枠４、４の上面に流下した結露水は、直接、上記各排水溝３３、３３へと流れ落ち、下水管へと排水される。
【００３３】
以上の様に、本例の場合には、ガラスパネル６、６等を通じて、上記各無目５、５の上面に流下した結露水を、これら各無目５、５の屋内側面から垂れ落とさずに、上記各排水路１３ａ、１３ａへと導く為、これら各無目５、５の屋内側面を通じて垂れ落ちる水滴の量を、十分に低減する事ができる。しかも、本例の場合には、屋内プール施設の利用者の目に入りにくい、上記各方立２、２の側面を利用して、結露水を下方に導く事ができる為、屋内側壁面の体裁を良好に確保する事ができて、屋内プール施設の利用者の快適性を十分に確保する事ができる。
【００３４】
又、本例の場合には、結露水を、上記各方立２、２や上記各無目５、５の内部を通過させる事なく、これら各方立２、２の側面に設けられた排水路１３ａ、１３ａ、及び、上記各無目５、５の上面を通じて排水処理する事ができる。この為、上記各方立２、２及び無目５、５の内部表面に、コストの上昇を招く塗装処理等の表面処理を施さなくても、これら各方立２、２及び無目５、５の内部に腐食が発生する事を防止できる。言い換えれば、本例の場合には、これら方立２、２及び無目５、５として、外部表面にのみ塗装処理等の表面処理が施された、従来構造のものを使用する事ができる。
【００３５】
以上の様に、本例の場合には、結露水を、屋外空間１０に排出する事なく、屋内空間９側のみで、適切に排水処理する事ができる。この為、屋内プール施設の屋外側壁面に、薬剤による染み汚れが生じる事を防止できて、この屋内プール施設の屋外側壁面を長期間に亙り清潔に保つ事ができる。又、寒冷地に於いても、結露水が屋外側壁面で凍結する事を防止できる。
【００３６】
しかも、本例の場合には、上記各無目５、５の上面に流下した結露水を、前記各堰部１７、１７によって、これら各無目５、５の屋内側面から垂れ落ちる事を有効に防止できる。又、これら各無目５、５の上面に一定量の結露水を貯溜する事によって、この結露水を、上記各堰部１７、１７の屋外側面に沿って、上記各無目５、５の長さ方向（端部側）に誘導し、効率良く、上記各排水路１３ａ、１３ａ（排水空間３２、３２）に導く事もできる。
【００３７】
又、本例の場合には、前記各誘導ガイド１９、１９のガイド部２１、２１の先端縁に、Ｖ字形の切り欠き部２２、２２を形成している為、これら各切り欠き部２２、２２の内側を通過した結露水と、上記各排水路１３ａ、１３ａの底面との接触面積を大きく確保できる。この為、結露水に作用する表面張力を有効に利用して（結露水が底面を確実に濡らす様にして）、この結露水が上記各無目５、５の下面側へと回り込む事を防止できる。この様に、本例の場合には、上記各切り欠き部２２、２２を設ける事によって、上記各誘導ガイド１９、１９（ガイド部２１、２１）から上記各排水路１３ａ、１３ａの底面へと、結露水の受け渡しを効率良く行う事ができる。又、上記各切り欠き部２２、２２の内側を通過させる事により、結露水を集約した状態で、上記各排水路１３ａ、１３ａ内を下方に導く事ができる為、結露水が下方に設けられた無目５、５上に直接滴下（落下）する事を防止できて、滴下音や飛沫が生じる事を防止できる。
【００３８】
又、本例の場合には、上記各排水路１３ａ、１３ａの底面の断面形状を、鋸歯状としている為、単に平坦面状とした場合に比べて、結露水とこの底面との接触面積を増やす事ができる。この為、この結露水に作用する表面張力を有効に利用して（結露水と底面との濡れ長さを大きくできて）、この結露水を上記各排水路１３ａ、１３ａの底面に沿って、スムーズに流下させ易くできる。
【００３９】
更に、本例の場合には、上記各無目５、５の端部に塞ぎ材２９、２９を、これら各塞ぎ材２９、２９の基端部である嵌合部３０、３０を密に内嵌した状態で設けている為、上記各無目５、５の上面からこれら各無目５、５の内部に、結露水が侵入する事を確実に防止できる。この為、これら各無目５、５の内部に腐食等が発生する事を有効に防止できる。更に、上記各塞ぎ材２９、２９の先端部を構成する突き当て部３１、３１を、上記各排水路１３ａ、１３ａを跨ぐ状態で設けている為、結露水が、上記各無目５、５からこれら各排水路１３ａ、１３ａを屋内外方向に外れた状態で垂れ落ちる事を有効に防止できて、結露水を、これら各排水路１３ａ、１３ａへと効率良く導く事ができる。
【００４０】
更に、本例の場合には、上記各誘導ガイド１９、１９及び前記各ストッパ部材２３、２３を取り外し自在としている為、これら各誘導ガイド１９、１９（ストッパ部材２３、２３）の清掃及びメンテナンス作業等を容易に行う事もできる。
又、本例の場合には、上述した様に、前記各方立２、２の側面に設けた排水路１３ａ、１３ａ部分、及び、上記各無目５、５の上面のうちの傾斜面部１６、１６と堰部１７、１７との間部分に、結露水を集中して流す事ができる。この為、屋内側壁面の清掃作業（薬剤による染み汚れの拭き取り作業）を行う際には、結露水の流路となる、上記各排水路１３ａ、１３ａ部分、及び、上記各傾斜面部１６、１６と上記各堰部１７、１７との間部分を中心に行えば良い為、屋内側壁面全体を清掃する場合に比べて、清掃作業を簡略化できて、清掃時間を大幅に短縮できる。
尚、本例の場合には、前記図３及び図１３に示す様に、ガラスパネル６、６等の屋外側壁面に付着した雨水を、無目５及び下枠４の内部を通過させて下方に導く構成を採用している。但し、この雨水には、前述した塩素系消毒剤等の薬剤は含まれない為、結露水を通過させる場合の様な、染み汚れや腐食等の問題が生じる事はない。
【産業上の利用可能性】
【００４１】
本発明の貯水施設用カーテンウォールは、上述した実施の形態の１例に示した様な、屋内プール施設に限らず、温泉施設等の入浴施設の外壁として使用する事もできる。
【図面の簡単な説明】
【００４２】
【図１】本発明の実施の形態の１例を示す、屋内プール施設用カーテンウォールを屋内側から見た状態で示す部分正面図。
【図２】同じく図１のＡ−Ａ断面図。
【図３】同じく図２のＢ部拡大図。
【図４】同じく方立と無目との突き合わせ部を、屋内空間側の上方から見た部分切断斜視図。
【図５】同じく屋内空間側の下方から見た部分切断斜視図。
【図６】同じく図１のＣ−Ｃ拡大断面図。
【図７】同じく図１のＤ−Ｄ拡大断面図。
【図８】同じく誘導ガイドの平面図（Ａ）及び正面図（Ｂ）及び側面図（Ｃ）。
【図９】同じくストッパ部材の底面図（Ａ）及び正面図（Ｂ）及び側面図（Ｃ）。
【図１０】同じく塞ぎ材を無目の内部側から見た状態で示す斜視図。
【図１１】同じく外部側から見た状態で示す斜視図。
【図１２】同じく図１のＥ−Ｅ拡大断面図。
【図１３】同じく図２のＦ部拡大図。
【図１４】結露水を屋外空間に排出する為の従来構造の１例を示す、図３に相当する図。
【符号の説明】
【００４３】
１    カーテンウォール
２    方立
３    上枠
４    下枠
５    無目
６    ガラスパネル
７    引き違い窓
８    プール
９    屋内空間
１０    屋外空間
１１、１１ａ  流入口
１２    排出口
１３、１３ａ  排水路
１４    無目本体
１５    無目カバー
１６    傾斜面部
１７    堰部
１８    係止溝
１９    誘導ガイド
２０    基板部
２１    ガイド部
２２    切り欠き部
２３    ストッパ部材
２４    係止板部
２５    つまみ部
２６    円弧部
２７    非円弧部
２８    不連続部
２９    塞ぎ材
３０    嵌合部
３１    突き当て部
３２    排水空間
３３    排水溝
３４    排水パイプ
３５    直線部
【図１】
2010001629.tif 000003
【図２】
2010001629.tif 000004
【図３】
2010001629.tif 000005
【図４】
2010001629.tif 000006
【図５】
2010001629.tif 000007
【図６】
2010001629.tif 000008
【図７】
2010001629.tif 000009
【図８】
2010001629.tif 000010
【図９】
2010001629.tif 000011
【図１０】
2010001629.tif 000012
【図１１】
2010001629.tif 000013
【図１２】
2010001629.tif 000014
【図１３】
2010001629.tif 000015
【図１４】
2010001629.tif 000016